(57)【要約】  本発明は、液体（６）から液体（６）の複数の副噴射から成る噴射を成形する為の噴射成形器および噴霧成形器（３０）に関する。噴射成形器（１）は、噴霧形成器（２）および噴霧分配器（３）を備える。噴霧形成器（２）は、液体（６）から、周囲条件下で噴霧円錐（５）の形状の液体（６）の噴霧を発生させるように配置される。噴霧分配器（３）は、液体（６）の噴霧から、液体（６）の噴射を成形するように配置され、液体（６）の噴射は、相互に重ならない液体（６）の副次的噴射（４）から成る。噴霧形成器（２）は、噴霧成形器出口（１１）および飛行チャンバ（１０）を備える。飛行チャンバ（１０）は、噴霧の液滴が、噴霧形成器出口（１１）から噴霧分配器（３）に向かって、本質的に直線で飛行経路を辿れるように配置される。また、本発明は、液体（６）の複数の副噴射（４）から成る噴射を成形する為の方法に関するが、噴霧円錐内側の液体液滴は、本質的に直線の飛行経路を辿る。【選択図】  図７
2020531244.tif 000002
【特許請求の範囲】
【請求項１】
液体（６）から、前記液体（６）の複数の副噴射（４）から成る噴射を成形する為の噴射成形器において、
前記噴射成形器（１）は、噴霧形成器（２）および噴霧分配器（３）を備え、前記噴霧形成器（２）は、周囲条件下で噴霧円錐（５）の形状で、前記液体（６）の噴霧を発生させるように配置され、前記噴霧分配器（３）は、前記液体（６）の前記噴霧から、前記液体（６）の前記噴射を成形するように配置され、前記液体（６）の前記噴射は、相互に重ならない前記液体（６）の副次的噴射（４）から成る、噴射成形器であって、
前記噴霧形成器（２）は、噴霧形成器出口（１１）および飛行チャンバ（１０）を備え、前記噴霧形成器出口（１１）は、発生される前記噴霧の為の流出点として配置され、前記飛行チャンバ（１０）は、前記噴霧の液滴が、前記噴霧形成器出口（１１）から前記噴霧分配器（３）に向かって本質的に直線で飛行経路を辿れるように配置される、噴射成形器。
【請求項２】
前記噴霧形成器（２）は、前記液体（６）が前記噴霧形成器（２）の一つの旋回軸を中心に前記液体（６）の回転運動を誘発するように少なくとも一つの誘導要素（１４ａ）を備え、前記回転運動は、前記噴霧円錐（５）の円錐軸（２０）が前記噴霧形成器（２）の前記旋回軸（２１）に対して平行である噴霧を発生させることを特徴とする、請求項１に記載の噴射成形器（１）。
【請求項３】
前記液体（６）の副次的噴射（４）の数ｎは、前記液体（６）の為の誘導要素（１４ａ）の数ｍに等しい又はその整数倍（即ち、ｎ＝ｘ＊ｍ、ｘは１以上の整数）であることを特徴とする、請求項２に記載の噴射成形器（１）。
【請求項４】
前記液体（６）の為の前記誘導要素（１４ａ）は、液体通路（１８）を備え、前記液体経路（１８）を通過する前記液体（６）の前記回転運動を誘発し、前記液体通路（１８）は、前記噴霧形成器（２）内で、円周方向に囲まれた開口の形で配置され、前記開口は、前記旋回軸（２１）に沿った構成要素および前記旋回軸（２１）周りの構成要素と共に延びていることを特徴とする、請求項２または３に記載の噴射成形器（１）。
【請求項５】
前記噴霧形成器（２）の前記旋回軸（２１）は、前記噴霧円錐（５）の前記円錐軸（２０）と一致することを特徴とする、請求項２〜４のいずれか一項に記載の噴射成形器（１）。
【請求項６】
前記噴霧形成器（２）の前記旋回軸（２１）上の正射影において、前記少なくとも一つの誘導要素（１４ａ）の最も遠い点は、前記噴霧形成器出口（１１）から最大で５ｍｍ離れていることを特徴とする、請求項２〜５のいずれか一項に記載の噴射成形器（１）。
【請求項７】
前記噴霧形成器出口（１１）の直径は、０．３ｍｍで始まり、５ｍｍで終わる範囲にあることを特徴とする、請求項５または６に記載の噴射成形器（１）。
【請求項８】
副次的噴射（４）の数は、２個の副次的噴射（４）から始まり、２０個の副次的噴射（４）で終わる範囲にあることを特徴とする、請求項１〜７のいずれか一項に記載の噴射成形器（１）。
【請求項９】
副次的噴射（４）は、副次的ダクト流出口（１３）で前記噴霧分配器（３）を出て、前記副次的ダクト流出口（１３）は、すべて、前記噴霧分配器（３）における１つのみの直線または１つのみの実質的に丸い線のみに配置されることを特徴とする、請求項１〜８のいずれか一項に記載の噴射成形器（１）。
【請求項１０】
前記噴霧形成器（２）は、空気入口（１５）を備えることを特徴とする、請求項１〜９のいずれか一項に記載の噴射成形器（１）。
【請求項１１】
前記噴射成形器（１）は、前記噴射成形器（１）を通る前記液体（６）の液体の流れが２リットル／分以下になるように配置されることを特徴とする、請求項１〜１０のいずれか一項に記載の噴射成形器（１）。
【請求項１２】
前記噴射成形器（１）は、液滴サイズ制限器（１６）を備え、前記液滴サイズ制限器（１６）は、前記噴霧形成器（２）の下流に位置し、前記液滴サイズ制限器（１６）は、逆流の無い前記噴霧液滴の通過を可能にするように配置されることを特徴とする、請求項１〜１１のいずれか一項に記載の噴射成形器（１）。
【請求項１３】
前記噴射成形器（１）は、前記噴射成形器（１）に入る前記液体（６）の液体入射方向（２２）が副次的噴射流出方向（２３）に対して実質的に平行になるように配置されることを特徴とする、請求項１〜１２のいずれか一項に記載の噴射成形器（１）。
【請求項１４】
前記噴射成形器（１）は、設備に装着され、前記噴射成形器（１）から出る前記副次的噴射が本質的に重力方向（ｇ）に沿って、空気を通る軌道を辿るように配置されることを特徴とする、請求項１〜１３のいずれか一項に記載の噴射成形器（１）。
【請求項１５】
液体（６）から前記液体（６）の噴射を成形する為の方法において、
ａ）前記液体（６）から前記液体（６）の噴霧円錐を発生させるステップであって、前記噴霧円錐の内側の前記液体の液滴は、前記噴霧円錐内の本質的に直線の飛行経路を辿る、前記ステップと、
ｂ）前記噴霧円錐の端部で、前記液体（６）の前記噴霧円錐から前記液体（６）の前記噴射を成形するステップであって、前記液体の前記噴射は、相互に重ならない複数の前記液体（６）の副次的噴射（４）から成る、前記ステップと、
を含む、方法。
【発明の詳細な説明】
【技術分野】
【０００１】
本発明の第１態様は、液体噴射成形器の分野に関する。それは、対応する独立請求項の序文に記載されるように液体噴射成形器に関する。液体噴射成形器は、たとえば、蛇口エアレーター（タップエアレーターとも呼ばれる）又はシャワーヘッドであり、液体噴射成形器は、液体噴射成形器に入る液体から液体噴射を成形する。言い換えると、液体噴射成形器は、液体を液体噴射に形成するが、液体噴射は、液体噴射成形器に入る液体とは異なる空間分布を特徴とする。
【０００２】
本発明の第２態様は、噴霧成形器の分野に関する。
【０００３】
液体噴射成形器は、たとえば、一般に液体（特に、水または石鹸液のような水ベースの液体）の噴射を使用した手洗い及び個人衛生に使用できる。液体噴射成形器は、たとえば、皿および／または食物（野菜、フルーツ）等の物体の洗浄、および／または衛生設備の蛇口が使用される他の任意の用途に使用することができる。
【０００４】
既知の液体噴射成形器の一態様は、液体を節約する為に液体噴射を形成することである。
【０００５】
多くの場合、液体は水であり、噴射成形器は、水の消費および／または溢れを減らす為に使用される。
【０００６】
液体を節約するために、既知の液体噴射成形器（要するに、噴射成形器）に入る液体は、液体の流出口噴射が、噴射成形器に入る液体とは異なる流れ、一貫性、および／またはエネルギを特徴とするように、噴射成形器の内側で扱われる。液体の噴射は、噴射成形器を通っていない液体のような同一用途に液体の噴射を使用できる形態で、噴射成形器を出る。ただし、噴射成形器を通る液体流動は、噴射成形器を通っていない液体の流動よりも小さいため、液体が節約される。
【０００７】
たとえば、既知の噴射成形器は、液体に空気を追加し、それによって泡を生成する。したがって、噴射成形器を出る液体噴射は泡を含む。他の既知の噴射成形器は、単純に噴射成形器に入る液体を、（単純なシャワーヘッドまたは複数の出口穴を備えた水まき缶などのような）液体の複数の小さなストリームに分離する。
【０００８】
既知の噴射成形器を使用しない場合と比較して、既知の噴射成形器を使用すると液体を節約できるが、既知の噴射成形器には様々な欠点がある。一つの欠点は、噴射成形器から出る液体の噴射が低エネルギであることである。これは、たとえば、泡又は少しずつ流れる液体ストリームの場合である。低エネルギの液体噴射は、洗浄目的には適さず、高エネルギの液体噴射の方がより効果的である。エネルギを増加させないために、既知の噴射成形器は液体流を増加させなければならないので、液体を節約する効果を減少させなければならない。
【０００９】
既知の噴射成形器は、触感が好ましくない液体噴射を発生させる。（多くの場合、泡や少しずつ流れる複数の小さなストリームの場合のように）どの液体の噴射も柔らかすぎる。または、液体の噴射が硬すぎたり、チクチクしたり、さらに／または（たとえば、高速で出る非常に小さいストリームの場合のように）乏しい。触感の好ましくない側面が減少される場合（たとえば、泡の中の空気の減少、小さなストリームに分割される流れの増加、及び／又は小さなストリームの大きさの増加）、既知の噴射成形器による液体節約の効果が減少する。
【００１０】
既知の噴射成形器は、複雑な設計を特徴とする。液体を節約する高い効果のために、成形器は複雑な方法で構築されている。液体の噴射に高レベルのエネルギを与えることができるようにするため、および／または、液体を節約する良い効果を特徴としながら、良好な触感を特徴とする液体の噴射を与えることができるようにするため、既知の噴射成形器は複数の要素、チャンバ、処理ステップ及び段階、エネルギ源、制御／測定／操縦要素、その他の多くの構成要素を特徴とすることができる。複雑な設計と構造を有する噴射成形器は、壊れ易く、誤動作し易く、詰まり易く、修理および／または清掃が複雑であり、生産コストが高く、サイズが大きく、更に／又は重たい。
【００１１】
一部の既知の噴射成形器は、適切に機能するために、たとえば、電気形式の外部エネルギを必要とする。このような噴射成形器は、設置、保守、修理が困難である。
【００１２】
さらに、電気は噴射成形器自体の使用に関して（例えば、絶縁不良により）危険な場合があり、さらに／または、噴射成形器に出入りする液体との組合せで危険な場合がある。
【発明の概要】
【００１３】
そのため、本発明の第１態様は、前述した不利益のうち少なくとも一つを少なくとも部分的に克服する、最初に言及した形式の噴射成形器を生み出すことを目的とする。
【００１４】
この目的は、請求項１による噴射成形器と、請求項１５に係る噴射を成形する為の方法によって達成される。
【００１５】
本発明の第１態様による発明性のある噴射成形器は、液体から液体の複数の副次的噴射から成る噴射を成形する為に、噴霧形成器および噴霧分配器を備える。噴霧形成器は、周囲条件の下で、液体から、噴霧円錐の形状で液体の噴霧を発生させるように配置される。噴霧分配器は、液体の噴霧から、液体の噴射を成形するように配置される。液体の噴射は、複数の副次的噴射から成り、複数の副次的噴射は、相互に重なり合っていない。噴霧形成器は、噴霧形成器出口および飛行チャンバを備える。噴霧形成器出口は、発生される噴霧の為の流出点として配置される。飛行チャンバは、噴霧の液滴が、噴霧形成器出口から噴霧分配器に向かう本質的に直線の飛行経路を辿れるように配置される。
【００１６】
噴霧は、気体によって分離される液体の複数の液滴である。
【００１７】
換言すると、噴霧は、気体に分散された液体である。噴霧は、気体媒体に分散した複数の個々の液滴である。たとえば、空気中にある水の液滴が噴霧である。噴霧中の液体の液滴は、小さな液滴が、それ自体の運動量を保てるのに十分な大きさの質量を特徴とする。
【００１８】
液体の液滴が噴霧するには小さすぎる場合、これらの液滴は、周囲の気体中に浮遊し、噴霧ではなくミストになる。そのため、噴霧は、ミストとは異なる。
【００１９】
また、噴霧は、気泡（foam）とも異なる。気泡は、液相で分散した気相（即ち、液体媒体中の気体の泡）である。これとは対照的に、噴霧は、気体媒体中の液体の液滴である。
【００２０】
噴霧中の液体の液滴の典型的な大きさは、直径が５００マイクロメートル以下であるが、２００マイクロメートルほどである。
【００２１】
周囲条件とは、平均的な人間の為の通常の環境における条件を意味する。そのため、周囲条件とは、１℃〜５５℃の範囲の周囲圧力および温度を意味する。周囲条件の下での液体の噴霧の発生は、液体の温度とは無関係である。液体の温度は、１℃〜５５℃の範囲でもよい。液体の温度は、１℃より低くてもよい。液体の温度は、５５℃より高くてもよい。
【００２２】
噴霧形成器は、噴霧形成器を通る液体から液体の噴霧を発生させるように配置される。噴霧形成器を出る液体の噴霧は、噴霧円錐の形状を特徴とする。液体の噴霧は、周囲条件下で、空間へと噴霧形成器を出る。したがって、噴霧円錐は、周囲条件下で発生される。
【００２３】
噴霧形成器は、噴霧液滴の噴霧を発生させるように配置される。噴霧は、気体中に分散した液体の複数の噴霧液滴である。これらの噴霧液滴（要するに、液滴）は、それらの全ての飛行経路で噴霧円錐に広がる。噴霧円錐の液滴の飛行経路は、本質的に直線である。噴霧円錐の内側には、ミストおよび逆流が存在しない。噴霧円錐は、全ての液滴が噴霧形成器出口から本質的に直線の飛行経路を辿るので、噴霧の蓄積が無い（即ち、液滴の詰まりが無い）。液滴は、噴霧円錐の内側で互いに交差しない。
【００２４】
飛行経路は、「本質的に」直線の飛行経路であり、飛行経路は、「本質的に直線方向」であることを意味する。「本質的に」という表現は、この状況において、所定方向から４５度以下の偏差が「本質的に所定方向である」ことを意味する。任意的に、所定方向から３０度以下の偏差は、「本質的に所定方向である」ことを意味する。あるいは、所定方向から１５度以下の偏差は、「本質的に所定方向である」ことを意味する。
【００２５】
液滴の本質的に直線の飛行経路は、これらの液滴を含む噴霧の流れが層流であることを意味する。
【００２６】
本質的に直線の飛行経路を辿る液滴を含む噴霧の層流の流れと対照的に、噴霧の流れは、この噴霧に含まれる液滴が不規則に辿る（即ち、不安低な経路である）とき、乱れてもよい。
【００２７】
噴霧分配器は、液体の噴霧（要するに、噴霧）から液体の噴射（要するに、噴射）を成形するように配置される。成形するとは、空間的構成を形成すること（即ち、変更すること）を意味する。噴霧分配器は、噴霧を噴射形状に、誘導、偏向および／または分配する。噴射は、液体の複数の副次的噴射（要するに、副次的噴射）から成る。複数の副次的噴射は、相互に重複がない（副次的噴射が相互に接触せず、合流しないことを意味する。複数の副次的噴射は、周囲条件下の環境で、大気へと噴射成形器を出る。
【００２８】
噴霧分配器は、噴霧を複数の副次的噴射に成形するように配置され、これは、副次的噴射に噴霧の液滴を集めることを意味する。噴霧分配器は、噴射を成形するのに必要な程度にのみ液滴の速度およびエネルギに影響を与えつつ、副次的噴射を成形するために、液滴の飛行経路に影響を与えるように配置される。言い換えると、噴霧分配器は、副次的噴射を成形する間、噴霧液滴の速度およびエネルギを可能な限り保つように配置される。副次的噴射を成形する以外の理由で、噴霧液滴の速度および／またはエネルギを減少させることは噴霧分配器では予測できない。
【００２９】
エネルギに関して、噴射成形器は、以下の段落で説明されるように（本質的に方法に寄与しない軽度の副作用には言及していない）本質的に機能するように配置され、液体の流入は、位置エネルギと、場合によっては噴射成形器の方向への液体の供給チャネル内側の流れからの小さな運動成分とを特徴とする。さらに、液体の供給チャネル内の液体には（少なくとも、独自の重量によって生じる圧力、即ち、液柱圧力／水柱圧力の下で）一定の圧力がかかっている。噴霧形成器は、噴霧を発生させ、噴霧円錐内の噴霧液滴は、噴霧形成器に液体と比較すると、高い運動エネルギを特徴とする。液滴の、この高い運動エネルギは、供給チャネル内の液体の圧力および位置エネルギから生じる。液体から液滴を発生させる為に（即ち、噴霧を生成する為に）液体の表面張力を克服する為のエネルギは、供給チャネル内の液体の圧力及び位置エネルギから生じる。噴霧分配器は、必要なだけ液滴を偏向することによって噴霧から副次的噴射を成形するので、副次的噴射への偏向によって液滴の速度およびエネルギを減少させる（偏向は、液滴の摩擦のため（即ち、熱のため）エネルギ損失を生じる）。
【００３０】
噴射成形器を出ている噴射の内側で（即ち、噴射成形器を出る副次的噴射の内側で）、液滴は、液滴に圧力（環境の大気圧を除く）がかからず、噴射成形器によって与えられる速度およびエネルギと液滴の位置エネルギとで飛行経路を辿る。副次的噴射の液滴は、一方では、環境の空気との摩擦（空気抵抗、空力）により減速される。他方で、副次的噴射の液滴は、重力方向に加速され、それらの位置エネルギの（液滴は、空気中を落下する）ために速度を得る。
【００３１】
副次的噴射が対象物（噴射成形器の用途によるが、たとえば、手、野菜または皿のような洗浄される本体部分または対象物）に当たるとき、液滴の運動エネルギが（摩擦によって）対象物上の圧力および熱に変換され、運動エネルギの残りが液滴を生じさせ、対象物上の衝突場所から遠くに移動する（異なる方向に飛散する液滴を遠くに流し、はね返し、反射させ、又は、反らされる）。
【００３２】
本発明の噴射成形器は、液滴の噴射（即ち、複数の副次的噴射）を発生させ、これが、既知の噴射成形器と比べて、大量の液体を節約でき、或いは、噴射成形器を使用しない。本発明の噴射成形器を用いた噴射の発生は、液体消費において効率的である。言い換えると、本発明の噴射成形器は、低消費を特徴とする。
【００３３】
噴射成形器によって発生された噴射は、所定範囲の大きさ及び速度の液滴を特徴とする。噴射成形器の特定の構成のため、所定条件（圧力、温度、流量など）の下での液体の提要のため、発生された噴霧の液滴の大きさ及び速度は、所定範囲内になる。そのため、液滴の大きさ及び／又は速度における著しい相違が最小限に抑えられ、或いは、避けられる。有利な結果として、水及び／又はエネルギの浪費が最小限に抑えられ、又は、避けられる（液滴が小さ過ぎる更に／又は遅すぎる、即ち、所定の範囲外であると、所望の効果が得られないため無駄になる）。さらに、否定的効果は、最小限に抑えられ、或いは、避けられる（液体が大きすぎる、更に／又は、速すぎる、即ち、所定の範囲外であると、たとえば、不快に感じたり、傷つける場合さえある）。その上、加熱された水の場合、小さすぎる液滴は、それらの熱を非常に急速に失うが（自由飛行で数ｃｍ）、これは、所定範囲内の大きさ及び速度の液滴の発生によって避けることができる。任意的に、発生された噴霧液滴は、本質的に同一の大きさ及び同一の速度を特徴とする。
【００３４】
対象物に当たる副次的噴射は、（例えば、洗浄目的のような）所望の用途に十分な所定量の速度及び質量を特徴とするが、同時に、液体の流量が少ない噴射成形器によって生成、即ち、大量の液体を節約する。液滴のエネルギは、高く、所望の用途に使用できるため、高流量の液体および／または高速の液体を避けることができる。
【００３５】
副次的噴射は、噴霧分配器のため、特定方向および／または形状を特徴とする。そのため、発生された噴射は、ある用途の為に特に選択された副次的噴射の所定の空間的構成を特徴とする。これにより、液体を効率的に使用することができる。液体の浪費および／またはエネルギは、最小限に抑えられ、或いは、排除される。副次的噴射は、副次的噴射の特定の空間的構成で特定の衝突領域を狙うように配置できる。
【００３６】
噴射成形器は、低消費を特徴とするが、同時に、好ましい触覚を提供する。対象物に当たる間、副次的噴射内の液滴は、対象物に圧力を作用させ、対象物は、所望の所定範囲にある（柔らか過ぎより高く、硬過ぎより低い、ピリピリし過ぎ（too tingly）及び／又は僅か過ぎ（too stingy））。副次的噴射は、人体の一部に当たるとき、良好な満足した液体の流れの感情を発生させる。副次的噴射は、肌に豊かさと重さの感覚を与える。噴射成形器を出る液体噴射は、集められた噴霧液滴の特別成形された噴射である一方で、柔らかく、完全で、心地よく、豊かな液体の流れとして体験される。
【００３７】
噴射成形器は、環境条件下で、噴霧および副次的噴射を発生させる。噴霧円錐内および噴霧分配器後の圧力は、実質的に上昇も、実質的に低下もないため、噴射成形器は安全装置になる。噴射成形器は、外部エネルギを有することなく、噴射成形器に入る液体によって与えられたエネルギ（位置エネルギおよび圧力）だけで機能する。噴射成形器は、安全であり、外部エネルギ源とは無関係に機能する。
【００３８】
噴射成形器は、単純な構成を特徴とする。噴射成形器は、数個の部品だけで組み立てられる。そのため、噴射成形器の生産は、安く単純である。噴射成形器の設置、点検、修理は簡単であり、費用対効果が良い。噴射成形器は、信頼性良く機能する。単純設計は、噴射成形器の詰まりを防止する。噴射成形器は、サイズがコンパクトであり、軽量である。
【００３９】
噴射成形器は、噴霧形成器と、噴霧分配器とを備える。噴霧形成器だけが単独で、噴霧を発生させるだけであり、噴霧は、この噴霧が当たった対象物に十分な圧力を生成しない、或いは、同時に、この噴霧が当たった物体に十分な圧力をかけるのに十分な速さである十分な噴霧を運ぶとき液体を節約できない。噴霧形成器は、単独で、通常は明確に定められていない方向に空間的に広がる噴霧を発生させる。分配器だけが、単独で、気泡または液体流を成形するので、やはり、あまり液体節約は効率的ではない。噴霧形成器と、更に下流の噴霧分配器との組合せが、前述した利点を特徴とする。噴霧形成器および噴霧分配器は、ともに、共存する方法で機能する。噴霧形成器および噴霧分配器は、組合せにおいて、非常に効率の良い噴射成形器を作ることができる。
【００４０】
任意的特徴として、噴射成形器の副次的噴射は、噴霧分配器の下流の少なくとも３０ｃｍの距離で、相互に重ならない。噴射成形器の副次的噴射は、たとえば、噴霧分配器の下流の少なくとも１００ｃｍの距離で相互に重ならない。噴射成形器の副次的噴射は、噴霧分配器の下流の少なくとも２００ｃｍの距離で相互に重ならなくてもよい。
【００４１】
液体は、たとえば、水である。液体は、他の実施例では、水をベースとした溶液である。液体は、水を含む乳濁液でもよい。
【００４２】
任意的に、噴射成形器は、衛生的取付け部品専用に使用される。特に、蛇口、たとえば、手洗い用蛇口に使用される。
【００４３】
噴射成形器は、異なる用途に使用できる。噴射成形器の用途は、たとえば、手洗い、ヘアケア、個人衛生、食品（野菜／果物）洗浄、および／または他の対象物の洗浄を行うことができる。
【００４４】
更なる実施形態は、従属形式請求項から明らかである。装置の請求項の特徴は、方法の請求項の特徴と組み合わせることができ、逆に、方法の請求項の特徴は装置の請求項の特徴と組み合わせることができる。
【００４５】
任意的な特徴として、噴霧円錐の開口角は、２０度で始まり、１６０度で終わる範囲内にある。
【００４６】
円錐の回転軸は、噴霧円錐の回転対称に関する軸を意味するが、円錐軸と呼ばれる。噴霧円錐の開口角は、円錐の円錐軸と円錐の外部表面の間に囲まれた角度の２倍である。噴霧円錐の開口角は、たとえば、５０度で始まり１４０度で終わる範囲内にある。噴霧円錐の開口角は、８０度で始まり１２０度で終わる範囲内でもよい。
【００４７】
言い換えると、開口角は、噴霧円錐の開口である。
【００４８】
噴射成形器における噴霧円錐は、三次元の実際の単語オブジェクトであり、先端に幾何学的尖端を有する純粋な幾何学的円錐ではない。厳密な幾何学的表現で、噴霧円錐は、円錐台として説明される場合がある。噴霧円錐の開口角は、円錐台の幾何学的形状の開口とみなすことができ、これは、ときどき、円錐の台とも呼ばれる。
【００４９】
選択的に、噴霧形成器は、噴霧円錐に均等に配置される噴霧を発生させるように配置される。
【００５０】
言い換えると、噴霧円錐全体が噴霧で満たされる。
【００５１】
そのような噴霧円錐は、完全噴霧円錐と呼ばれる。完全噴霧円錐は、中空ではなく、円錐内側のカーテン又はブレードのような形態の噴霧を特徴としない。完全噴霧円錐により、円錐内側の液体から多くの液滴を含む噴霧を生成することができる。
【００５２】
他の実施形態において、噴霧円錐は中空である。
【００５３】
中空噴霧円錐は、噴霧円錐が、噴霧円錐の内側にある、噴霧液滴の無い容積を特徴とすることを意味する。
【００５４】
中空噴霧円錐は、噴霧円錐の外部表面に近い区域に液滴が分布していることを特徴とする。中空噴霧円錐により、噴霧円錐の外部表面の区域に噴霧液滴を集中させることができる。
【００５５】
任意的に、噴霧形成器は、噴霧形成器の一つの旋回軸周りに液体の回転運動を誘発する液体の為に少なくとも一つの誘導要素を備える。この回転運動は、噴霧円錐の円錐軸が噴霧形成器の旋回軸に対して平行である噴霧を発生させる。
【００５６】
少なくとも一つの誘導要素は、噴霧形成器内の静止要素である。誘導要素は、受動的に機能し、駆動部を持たない。言い換えると、誘導要素は、液体を誘導し、導き、さらに／または偏向することによって機能するが、液体を積極的に移動させない。
【００５７】
回転運動は、サイクロン効果として説明し得る方法で（あるいは、遠心式ノズルを使用して）噴霧を発生させる。液体の回転エネルギの少なくとも一部は、液体から液滴を分離させる為に使用され、これらの液滴が、後に噴霧を形成する。そのため、液体は、噴霧を生じさせるときにエネルギを失う。なぜなら、少なくとも一つの回転エネルギが表面張力を克服する為に使用されるからである。回転エネルギ、即ち、回転運動のため、液滴が形成され、液滴は、飛行経路内の液体から飛び去る。その後、これらの液滴が噴霧円錐を生じさせる。
【００５８】
言い換えると、液滴は、回転流体から引き離され、これらの液滴は、回転流体から引き離されると、流体とは無関係の飛行経路を辿る。これらの液滴の飛行経路は、本質的に直線を辿る。
【００５９】
あるいは、噴霧形成器は、（ノズルおよび圧力のみ、流体の回転運動を有することなく）圧力噴霧器の噴霧を発生させるように配置される。
【００６０】
選択的に、液体の副次的噴射の数ｎは、液体の為の誘導要素の数ｍに等しい又はその整数倍である。表現式は、n = x*mであり、ｘは、１以上の整数である。
【００６１】
これは、噴霧分配器の副次的噴射の数ｎと噴霧形成器の誘導要素の数ｍの比が整数であることを意味する。言い換えると、各誘導要素に、副次的噴射の整数の数ｘを割り当てることが数学的に可能である。
【００６２】
選択的に、ｘは、１〜５の範囲内の整数である。
【００６３】
たとえば、ｘは１〜３の範囲内の整数である。整数ｘは、１でもよい。
【００６４】
そのような整数比の利点は、特に副次的噴射に関する噴射の均質分布である。これは、噴霧分布が限定数の誘導要素のため（定義による各誘導要素が運動を誘発するので、局所的不均質性を生じさせるため）完全でなくても、誘導要素によって引き起こされた可能な不均質性を、副次的噴射に関して都合の良い方法で配置できることを意味する。言い換えると、複数の誘導要素によって引き起こされ得る密度変動は、特に誘導要素が対称に配置される場合、対称的な空間分布を特徴とする場合がある。この対照的な空間分布は、前述した整数比の場合、副次的噴射の対称パターンに一致および／または割り当てることができる。
【００６５】
選択的な特徴として、誘導要素の数ｍは、２から始まり２０で終わる範囲内にある。
【００６６】
誘導要素の数ｍは、たとえば、４から始まり１６で終わる範囲内にあってもよい。たとえば、誘導要素の数ｍは、６から始まり１２で終わる範囲内にある。
【００６７】
選択的な特徴として、液体の為の誘導要素は、液体通路を通過する液体の回転運動を誘発する為の液体通路を備え、その液体の回転運動は、旋回軸周りである。液体通路は、噴霧形成器内の円周で囲まれた開口の形式に配置され、その開口は、旋回軸に沿った構成要素とともに、旋回軸の周りの構成要素とともに広がっている。
【００６８】
液体通路は、円周方向に囲まれているので、側方に閉じた溝、あるいは、言い換えると、ホース、チューブ、閉じたダクトおよび／またはパイプのような構造体を形成する。
【００６９】
液体通路は、端部毎に一つの開口を備えることができ、即ち、液体用の一つの入射、液体用の一つの流出口を備えることができる。液体通路は、複数の端部を特徴としてもよく、たとえば、２つの入射が一つの流出口に合流するので、本質的にＹ形状の形を特徴とする。
【００７０】
液体通路の横断面の形状は、たとえば、円形、正方形、長方形、台形、湾曲または不規則でもよい。液体通路の横断面の形状および／または大きさは、液体通路の延長部分に沿って変化してもよい。液体通路の横断面の領域は、液体通路の更に下流で徐々に減少してもよい。液体通路の横断面の形状および／または大きさは、たとえば、液体通路の延長部分に沿って一定のままでもよい。
【００７１】
「旋回軸周りの」構成要素は、旋回軸周りの円形通路に至る構成要素でもよい（この場合、旋回軸周りの円形通路に対して接する構成要素であろう）。「旋回軸周りの」構成要素は、たとえば、広がる旋回または狭まる旋回の形式の旋回軸周りの通路に至る構成要素でもよい。狭まる旋回の形式の通路は、旋回軸周りに少なくとも１８０°広がり、これは、旋回軸周りに少なくとも中間を意味する。
【００７２】
旋回軸に沿った構成要素と旋回軸周りの構成要素との組合せのため、液体通路は、旋回軸周りで螺旋状に実質的に広がる。
【００７３】
選択的特徴として、噴霧形成器を通る全ての液体は、少なくとも一つの液体通路を通って噴霧形成器を通る。
【００７４】
あるいは、噴霧形成器は、突起および／または凹部の形式で誘導要素を備えることができる。また、少なくとも一つの液体通路と少なくとも一つの他の形式の誘導要素との組合せも可能である。
【００７５】
噴霧形成器は、一つの誘導要素を含むことができる。また、２つの誘導要素も可能である。噴霧形成器は、たとえば、３つの誘導要素を含む。噴霧形成器は、４つの誘導要素を含むことができる。また、５つ以上の誘導要素が噴霧形成器内に存在し得る。
【００７６】
選択的に、噴霧形成器内の全ての誘導要素は同一形状を特徴とする。他の実施例において、誘導要素は、互いに異なる形状を特徴とすることができる。
【００７７】
他の選択的特徴として、噴霧形成器の旋回軸は、噴霧円錐の円錐軸と同心である。円錐軸と同心の旋回軸は、噴霧形成器のコンパクトな設計を可能にする。
【００７８】
あるいは、旋回軸は、円錐軸に関してオフセットしている。そのような設計は、偏心（噴霧円錐に関する偏心）通路に沿った流体の運動を誘発することが可能である。
【００７９】
噴霧形成器は、噴霧形成器出口および飛行チャンバを備える。噴霧形成器出口は、噴霧が発生する為の流出点として配置される。飛行チャンバは、噴霧の液滴が、噴霧分配器に向かう本質的に直線で、噴霧形成器出口からの飛行経路を辿れるように配置される。
【００８０】
噴霧形成器出口は、ノズルとも呼べる。そのため、噴霧形成器出口は、噴霧円錐の最上部に配置、あるいは、言い換えると、噴霧円錐の頭部に置かれる。噴霧形成器出口は、たとえば、円錐軸周りに回転対称に配置される。
【００８１】
飛行チャンバにより、液滴は、乱れない方法で、噴霧分配器に向かって飛行することをでき、その結果、液滴の飛行経路の為に本質的に直線が生じる。これは、液滴が飛行チャンバの壁と接触しないことを意味する。言い換えると、液滴は、飛行チャンバ壁によって反射されず、反らされない。液滴は、飛行チャンバ内側の噴霧分配器の方向で、噴霧形成器出口からの飛行経路を辿ることができる。そのため、飛行チャンバを通る液滴の飛行経路は、まっすぐである。飛行チャンバを通る同一横断面において、飛行チャンバの横断面は、噴霧円錐の横断面と少なくとも同一の大きさである。
【００８２】
「本質的に」直線とは、本質的に直線の飛行経路に類似して定義される（上記参照）。
【００８３】
飛行チャンバとは、噴霧形成器出口と噴霧分配器との間の三次元空間である。飛行チャンバは、噴霧円錐を囲む。
【００８４】
言い換えると、飛行チャンバは、噴霧形成器出口（小さい端部、即ち、噴霧円錐の先端部）で開始し、噴霧分配器（噴霧円錐の広い端部）で終わる。飛行チャンバは、噴霧円錐を取り囲む。飛行チャンバは、噴霧液滴が噴霧円錐の内側で噴霧形成器出口から噴霧分配器までの経路を辿らせる空間である。
【００８５】
飛行チャンバは、飛行チャンバハウジングのような限定された空間の内側に形成できる。飛行チャンバは、一つ以上の開口を備えた飛行チャンバハウジングのような部分的に限定された空間の内側に形成できる。
【００８６】
液滴が乱れない方法で飛行できる飛行チャンバの利点は、どの液滴も保持されないことである。これは、飛行チャンバに、あらゆる形態（発泡、液体層、霧）の液体が本質的に保持または反射されていないことを意味する。そのため、噴霧円錐の飛行経路を辿る液滴は、飛行チャンバを通る途中で邪魔されず、したがって、そのエネルギを可能な限り保つことができる。
【００８７】
飛行チャンバは、環境から噴霧を保護する。噴霧は、飛行チャンバが（乾燥した）空気と噴霧の接触を制限することから、たとえば、乾燥から保護される。そのため、噴霧の液滴の乾燥は、飛行チャンバによって減少または排除できる。噴霧の乾燥が少ないか全く無い場合、たとえば、水からの残留物として噴射成形器に蓄積され得る石灰石が少ないか全く無い等、液体からの残留物は少ないか又は全く無くなる。その結果、噴射成形器は、効率良く動作できる。噴射成形器は、点検が容易である。噴射成形器は、部分的または完全な閉塞、つまり噴射成形器の部品の詰まりを防ぐために潜在的な残留物に必要なマージンを有することなく構築できる。これにより、詰まりの危険性を僅かにして（流れ、噴霧および／または液滴としての）液体の為の噴射成形器の通路を小さな絶対サイズで実現できる。
【００８８】
飛行チャンバは、たとえば、円錐形状を特徴とする。飛行チャンバは、円錐台形状を特徴とする。
【００８９】
選択的に、噴霧形成器の旋回軸の直角投影において、最小の誘導要素の最も遠い点は、噴霧形成器出口の最も遠い点から最大で５ミリメートル離れている。
【００９０】
言い換えると、噴霧形成器は、旋回軸に沿った寸法がコンパクトである。少なくとも一つの誘導要素の開始部から噴霧形成器出口までの（旋回軸に沿った）距離は、５ミリメートル以下である。別の表現によると、噴霧形成器出口に下る最も高い誘導要素の第１の点から噴霧形成器部分の高さは、５ミリメートルである。誘導要素の開始部から噴霧形成器出口までの噴霧形成器の部分は、５ミリメートルの高さを有する。
【００９１】
特に、噴霧形成器の旋回軸における直角投影において、最小の誘導要素の最も遠い点は、噴霧形成器出口から最大で４ミリメートル離れている。特に、噴霧形成器の旋回軸における直角投影において、最小の誘導要素の最も遠い点は、噴霧形成器出口から最大で３ミリメートル離れている。
【００９２】
そのようなコンパクトな配置の利点は、全体の噴射成形器の大きさを減少できることである。そのようなコンパクトな噴射成形器は、本発明の第１態様を、既存の構成における上記利点（たとえば、液体即ち節水など）と統合し、さらに／または、それを、制限または限られた空間の環境に適用することを可能にする。
【００９３】
また、コンパクトな寸法は、低い液体消費の利点がある。デバイスは、少量の液体で満たされるため、デバイスは、すぐに満たされ、短時間で動作する。コンパクトな寸法のため、液体内の圧力降下は低い。
【００９４】
選択的に、誘導要素の数ｍは、最も高い誘導要素の第１の点から噴霧形成器出口まで下る噴霧成形器の高さに逆比例する。
【００９５】
たとえば、この高さをミリメートルで掛け算し、誘導要素の数ｍを掛けると、常に２０ミリメートルになる。これは、２０ミリメートルの高さの為に、一つの誘導要素が使用されることを意味する。１０ミリメートルの高さの為には、２つの誘導要素が使用される。
【００９６】
などなど。
【００９７】
噴霧形成器の寸法がコンパクトになるほど、噴霧円錐における均等な噴霧分布を与えるため、より多くの誘導要素が使用される。
【００９８】
選択的に、円錐軸に直交する面における飛行チャンバの最大横断面は、たとえば、３０ミリメートルの直径を有する円錐軸周りの円と５ミリメートルの直径を有する円錐軸周りの円との間の領域に含むことができる。最大横断面とは、噴霧円錐の最大、即ち、最も広い又は最も広がった部分を意味する。
【００９９】
更なる選択的特徴として、噴霧形成器出口は、０．３ミリメートルで始まり５ミリメートルで終わる範囲にある直径の円形開口を特徴とする。
【０１００】
噴霧形成器出口が円形開口とは異なる形状の開口を特徴とする場合、この本文で与えられた直径の円形の領域に相当する噴霧形成器出口の横断面の領域を意味する。これは、たとえば、５ミリメートルの直径の円形開口が１９．６平方ミリメートルの領域を意味する。
【０１０１】
０．３ミリメートルの直径を持つ円形開口の噴霧形成器出口は、噴霧形成器出口の詰まりを防止する為に十分に大きな領域を特徴とする。
【０１０２】
噴霧形成器出口の直径は、たとえば、０．５ミリメートルで始まり３ミリメートルで終わる範囲にあってもよい。他の実施例において、噴霧形成器出口の直径は、１ミリメートルから始まり２ミリメートルで終わる範囲にある。
【０１０３】
噴霧形成器出口は、空気中を直線で飛行するのに十分な大きさと速さの液滴を生成する大きさ及び形状で配置される。言い換えると、噴霧形成器によって発生される液滴は、霧を形成するには大き過ぎ、それらは、空気による実質的な反射や偏向の無いほど十分に大きく、液滴は、空気抵抗によって減速されるが、液滴が飛行している空気によって飛行経路を実質的に変更しない。
【０１０４】
しかしながら、噴霧生成中、霧を形成するのに十分に小さい少数の液滴が、噴霧形成器出口によって生成される可能性がある。そのような小さな液滴の生成は、回避されることが好ましいが、噴霧生成の副産物として僅かに起こり得る。
【０１０５】
たとえば、霧を形成するのに十分に小さい液滴は、直径が２００ミクロンメートル未満の液滴である。特に、霧を形成するのに十分に小さい液滴は、直径が１４０ミクロンメートル未満の液滴である。霧を形成するのに十分に小さい液滴は、直径が６０ミクロンメートル未満の液滴でもあり得る。
【０１０６】
霧を形成するのに十分に小さい液滴は、たとえば、噴霧形成器出口を通る液体流全体の５％未満である。特に、霧を形成するのに十分に小さい液滴は、噴霧形成器出口を通る液体流全体の３％未満を構成する。選択的に、霧を形成するのに十分に小さい液滴は、噴霧形成器出口を通る液体流全体の１％未満を構成する。
【０１０７】
噴霧形成器出口で僅かな霧が生成される場合、飛行チャンバは、霧を噴射分配器まで導くのに役立つ。霧は、飛行チャンバ内および／または噴霧分配器によって、より重い液滴に凝縮され、副次的噴射に追加される。霧を形成できる小さな、これらの液滴は、噴霧の他の液滴とは対照的に、たとえば、飛行チャンバ壁によって、飛行チャンバ内で反射および／または反らされる。
【０１０８】
選択的に、噴射成形器は、噴霧形成器出口がミリメートルで測定される一定の直径の円形噴霧形成器出口を特徴とするように配置されるが、これは、噴霧形成器出口の直径で割った液体流の（０．１で始まり２で終わる）比で、噴射成形器を通る（毎分リットルで測定された）液体流に関連する。
【０１０９】
前述した比は、たとえば、０．１５で始まり１．５で終わる範囲でもよい。この比は、たとえば、０．２で始まり１で終わる範囲でもよい。一実施形態において、この比は、０．２２で始まり０．８で終わる範囲である。
【０１１０】
既に上記で述べたように、上記で定義した比にも適用可能：噴霧形成器出口が、円形開口とは異なる形状の開口を特徴とする場合、本文で与えられた直径の円形の領域に相当する噴霧器出口の横断面の領域を意味する。
【０１１１】
選択的な特徴として、副次的噴射の数ｎは、２つの副次的噴射で始まり２０の副次的噴射で終わる範囲にある。
【０１１２】
副次的噴射の数ｎは、たとえば、４つの副次的噴射で始まり、１６の副次的噴射で終わる範囲でもよい。副次的噴射の数ｎは、たとえば、６つの副次的噴射で始まり１２の副次的噴射で終わる範囲にある。
【０１１３】
副次的噴射用ダクトの流出口は、噴霧分配器の副次的噴射用ダクト（要するにダクト）の下流端部の開口である。一つの副次的噴射は、ダクト流出口の各々で噴霧分配器を出る。そのため、噴霧分配器内のダクト流出口の数は、噴射成形器によって発生される副次的噴射の数ｎに等しい。
【０１１４】
噴霧分配器内のダクトは、噴霧液滴に噴霧分配器を通らせるように、更に、副次的噴射内で噴霧分配器を出られるように配置された噴霧分配器内の開口である。ダクトは、デフレクタとして機能し、副次的噴射に液滴を導く。
【０１１５】
ダクト流出口が円形形状とは異なる形状を特徴とする場合、上記段落で説明されたような円形形状のダクトのダクト流出口の同等の領域は、非円形形状のダクト流出口に適用可能できる。これは、噴霧成形機出口の大きさを限定した説明に類似する。
【０１１６】
必要に応じて、１分当たりのリットルで測定される噴射成形器を通る液体流に関連して、平方ミリメートルで測定される噴霧分配器出口全表面（即ち、全ての副次的噴射ダクト出口領域の合計）が、０．０３で始まり０．１２で終わる噴霧形成器出口全表面によって除した液体流の比の範囲になるように、噴射成形器が配置される。
【０１１７】
前述した比は、たとえば、０．０３４で始まり、０．０８で終わる範囲内でもよい。この比は、たとえば、０．０３５で始まり、０．０５で終わる範囲内でもよい。
【０１１８】
大きさ、形状、数、空間的配置に関して、噴霧分配器のダクトについて説明された特徴は、（該当する場合）噴霧形成器の液体通路に適用可能であり、その逆も適用可能である。ダクトは、液体通路と異なる大きさ、形状でもよい。
【０１１９】
ダクトは、たとえば、噴霧分配器内の円周方向に囲まれた開口の形式で配置され、開口は、円錐軸に沿った構成要素と共にのみ延びている。そのようなダクトは、円錐軸周りの構成要素を有することなく延びてもよい。
【０１２０】
選択的な機能として、副次的噴射は、副次的ダクト流出口で噴霧分配器を出るが、副次的ダクト出口は、全て、噴霧分配器上の１本の直線または１本の実質的に丸い線のみに配置される。
【０１２１】
実質的に丸い線は、たとえば、楕円形の線、円形の線、腎臓形の線、または、梨形の線を意味する。たとえば、円からの半径の偏差が３０パーセント未満の連続線は、実質的に丸い。
【０１２２】
実質的に丸い線は、たとえば、円錐軸周りの回転に対して対称的に位置する。
【０１２３】
副次的噴射ダクト流出口の実質的に丸い線は、たとえば、噴霧円錐の外部表面の区域に配置される。上記の中空噴霧円錐と組み合わせて、噴霧形成器は、飛行速度および飛行方向が副次的噴射に大きく変化することなく、液滴が噴霧分配器によって向け直される区域で、液滴を主に提供することができる。
【０１２４】
あるいは、ダクト流出口は、規則正しい二次元格子、すなわち、グリッドで配置されている。たとえば、正方形セルを有するグリッドまたは六角形セルを有するグリッドである。
【０１２５】
ダクト流出口は、不規則的な方法で噴霧分配器に配置されてもよい。
【０１２６】
噴霧分配器は、ダクト流出口の無い円錐軸において円錐軸に近い区域を特徴としてもよい。この場合、噴霧分配器は、選択的に、円錐軸から離れた噴霧液滴を誘導する中央デフレクタを特徴としてもよい。噴霧分配器も同様に、中央デフレクタが無くてもよい。
【０１２７】
他の実施例として、噴霧分配器は、円錐軸において円錐軸に近い区域内部のダクト流出口を特徴としてもよい。
【０１２８】
ダクトは、大きな横断面を上流に、小さな横断面を下流に位置する円錐形状を特徴としてもよい。
【０１２９】
選択的特徴として、噴霧形成器は、空気入口を備える。
【０１３０】
噴霧形成器内の空気入口は、空気が飛行チャンバに入ることを可能にする。これによって、空気を噴霧（即ち、飛行する噴霧液滴のストリーム）に追加することができる。空気入口は、たとえば、噴霧形成器流出口および噴霧分配器の間に位置する。選択的に、空気入口は、噴霧形成器出口に近い区域内の飛行チャンバに位置する。空気入口は、たとえば、噴霧形成器出口の上流で噴霧形成器内に位置してもよい。あるいは、空気は、噴霧形成器の周りの方向で（by ways）飛行チャンバにアクセスできる。
【０１３１】
飛行チャンバ内の空気は、噴霧液滴間の空間を満たす。言い換えると、噴霧には、空気が豊富に含まれている。
【０１３２】
空気入口は、飛行チャンバのエンクロージャに一つ以上の開口を備えてもよい。
【０１３３】
空気入口を通って飛行チャンバに追加された空気は、噴霧が層流方式で流れることに役立つ。空気入口は、噴霧円錐内の乱流を減少または排除するのに役立つ。空気入口を通って飛行チャンバに追加された空気は、飛行する噴霧液滴に沿って移動することができ、飛行噴霧液滴を反らし得る噴霧円錐内の空気圧力差を防止する。
【０１３４】
選択的な特徴として、噴射成形器は、１０バール以下の噴射成形器に入る液体の圧力のみに耐えるように配置され、あるいは、噴射成形器は、液体流の方向に対して噴霧形成器の上流に配置された圧力制限器を備え、１０バール以下の噴射成形器に入る液体の圧力を制限する。
【０１３５】
噴射成形器が耐えるように配置される最大圧力は、たとえば、３バールである。あるいは、噴射成形器が耐えるように配置される最大圧力は、１．５バールである。
【０１３６】
これは、噴射形成器が最大１０バール（又は、それぞれ３バールまたは１．５バール）の圧力で機能すると予測されることを意味する。したがって、噴射成形器は、比較的低圧の用途向けに設計されている。噴射成形器は、最大圧力より高い圧力に耐える必要はないことから、噴射成形器の材料および構成は、この圧力範囲で特に選択される。低圧において、材料上の応力は、比較的に小さいので、費用対効果の良い材料の使用および設計が可能である。
【０１３７】
圧力制限器は、液体の圧力を噴射成形器が最大限に耐えられるように配置された圧力以下に制限する。
【０１３８】
選択的に、圧力制限器は、指定圧力範囲内で一定の液体流を与えるように配置される。圧力制限器は、その後、流量制限器として作用する。
【０１３９】
圧力制限器は、その後、上流側から圧力制限器に作用する液体の圧力とは無関係に一定の液体流を与えるように配置される。
【０１４０】
圧力制限器は、液体圧力、選択的には液体流も制限することができる。そのため、圧力制限器は、液体圧力および選択的に液体流のような境界条件とは無関係に噴射成形器を使用することを可能にする。たとえば、建物の蛇口で噴射成形器を使用する場合、液体の圧力と液体流は建物毎に、建物自体の内部（たとえば、異なる高さのフロア間）で変化する場合がある。そのような圧力制限器を用いて、同一の噴射成形器を何も変更することなく、建物内で、更に、異なる用途向けに、異なる環境で使用することができる。
【０１４１】
あるいは、噴射成形器は、圧力制限器を有することなく、使用することができる。噴射成形器は、たとえば、１．５バールより高い液体圧力に耐えるように配置されてもよい。
【０１４２】
特に、噴射成形器は、低い圧力で機能する。たとえば、噴射成形器は、（噴射成形器に対する入力圧力として）０．２〜１バールの範囲の圧力で機能する。
【０１４３】
選択的に、噴射成形器は、１分当たり２リットル以下の噴射成形器を通る液体流の為に配置される。
【０１４４】
噴射成形器を通る液体流は、１分当たり１リットル以下でもよい。噴射成形器を通る液体流は、本質的に１分当たり０．５５リットル以下である。
【０１４５】
特定最大量の液体流の為に配置される噴射成形器は、噴射成形器が、この特定最大量の液体流の為に特に選択された空間的制約（たとえば、噴霧形成器出口及び／又は対象ダクトの大きさおよび／または形状）を特徴とすることを意味する。特定最大量を超える液体流は、噴射成形器をブロックおよび／または氾濫させる可能性がある。
【０１４６】
前述したように最大液体流用に配置された噴射成形器の利点は、たとえば、特定液体圧力のみに耐える噴射成形器の為に前述されたものに類似する。
【０１４７】
選択的な特徴として、噴射成形器は、噴霧形成器の下流に位置する液滴サイズ制限器を備えるが、この液滴サイズ制限器は、逆流の無い噴霧液体の通過を可能にするように配置される。
【０１４８】
液滴サイズ制限器は、たとえば、所定の大きさおよび／形状の開口を持つグリッドまたはメッシュとして配置される。液滴サイズ制限器は、液滴が大きすぎる場合、液滴の大きさを減少させる為に配置される。液滴サイズ制限器は、噴霧内の液滴の最大の大きさを制御する為に配置される。十分に小さい液滴は、飛行の方向および速度を本質的に維持しつつ、大きすぎる液滴は、その飛行の方向を維持するが、大きさが減少するため速度が低下する。言い換えると、噴霧液滴の飛行方向は、全ての液滴については本質的に維持されるが、小さな液滴は、その飛行速度で液滴サイズ制限器を通過し、大きすぎる液滴は、液滴サイズ制限器を出る前に小さな液滴へと縮小される。
【０１４９】
液滴サイズ制限器を通過した後の液滴の最大の大きさは、たとえば、４００ミクロンメートルである。液滴サイズ制限器を通過した後の液滴の最大の大きさは、直径が３００ミクロンメートルでもよい。液滴サイズ制限器を通過した後の液滴の最大の大きさは、直径が２５０ミクロンメートルでもよい。
【０１５０】
液滴サイズ制限器は、液滴または液体の逆流を防止するように配置される。言い換えると、液滴サイズ制限器の上流の液滴または液体の蓄積は、液滴サイズ制限器の設計によって避けられる。
【０１５１】
一実施形態において、液滴サイズ制限器は、薄いワイヤで作成されたメッシュを備える。
【０１５２】
選択的に、液滴サイズ制限器の厚さは、１ミリメートル以下である。本質的に、液滴サイズ制限器の厚さは、０．５ミリメートル以下である。液滴サイズ制限器の厚さは、０．３ミリメートル以下でもよい。液滴サイズ制限器の厚さは、液滴が本質的にその方向と飛行速度を維持しながら液滴サイズ制限器を通過する場合に、液滴が液滴サイズ制限器に出入り間に通過しなければならない距離である。
【０１５３】
噴射成形器は、液滴サイズ制限器を持たなくてもよい。
【０１５４】
選択的特徴として、噴射成形器は、副次的噴射が噴射成形器を出る方向（即ち、副次的噴射が出る方向）に対して実質的に平行である噴射成形器に入る液体の液体入射方向の為に配置される。
【０１５５】
そのような液体入射方向および副次的噴射の出る方向の配置は、重力の力を効率的に利用できるため、有利である。
【０１５６】
液体入射方向は、たとえば、円錐軸に対して垂直でもよい。液体入射方向は、たとえば、円錐軸に対して、２０〜７０度の角度で傾斜される。
【０１５７】
選択的な特徴として、噴射成形器は設備に装着され、重力の方向に実質的に沿って、噴射成形器を出る副次的噴射が、空気が通る軌道を辿るように配置される。
【０１５８】
噴射成形器を出る副次的噴射の軌道は、たとえば、重力の方向に対して傾斜してもよい。
【０１５９】
選択的に、副次的噴射軌道は、円錐軸に対して本質的に平行である。
【０１６０】
選択的特徴として、噴射成形器を出る副次的噴射は、噴射成形器から、噴射成形器の少なくとも最大１００センチメートル下流へと、本質的に一方向に沿った軌道を辿る。
【０１６１】
選択的に、噴射成形器を出る全ての副次的噴射は、本質的に平行軌道を辿る。
【０１６２】
本発明の第１態様に従う、液体の噴射を液体から成形する為の方法は、
【０１６３】
ａ）液体から液体の噴霧円錐を発生させるステップであって、噴霧円錐の内側の液体液滴は、噴霧円錐内の本質的に直線の飛行経路を辿るステップと、
【０１６４】
ｂ）噴霧円錐の端部で液体の噴霧円錐から液体の噴射を成形するステップであって、液体の噴射は、相互に重ならない液体の複数の副次的噴射から成る、ステップと、を含む。
【０１６５】
本発明の第２態様は、噴霧成形器の分野に関する。噴霧成形器は、液体から噴霧を生じさせるデバイスである。
【０１６６】
既知の噴霧成形器は、圧力、熱、電気エネルギ、静的エネルギおよび／または運動エネルギを使用して液体から噴霧を生じさせる。これらの既知の噴霧成形器は、適切に動作する為に大量のエネルギを使用する。そのため、これらは、全ての条件下で適切に動作するわけではない。一部の既知の噴霧成形器において、エネルギを使用することによって、噴霧成形器自体の大きな圧力低下を引き起こす。一定の既知の噴霧成形器では、適切な噴霧生産の為に大量の液体を必要とする。特に、限られたリソースおよび／または限られたエネルギ源を有する環境では既知の噴霧成形器は、不十分に動作するか、全く動作しない。既知の噴霧成形器は、周囲条件で全てが正常に動作するわけではない。
【０１６７】
既知の噴霧成形器は、大きなデバイスにあり得る。噴霧の生産は、空間的に拡張されたデバイス内で起こる。したがって、限られた空間の環境および／またはデバイス内に噴霧成形器を含めることはできない。既知の噴霧成形器は、コンパクトなデバイスに統合するのが困難である。
【０１６８】
既知の噴霧成形器では、生み出された噴霧が不均一に分布している場合がある。これは、設計、エネルギ不足、および／または空間不足が原因である可能性がある。この原因は、いずれも、生み出される噴霧に不均一性をもたらし、さらに／または、既知の噴霧成形器を正しく動作させない可能性がある。
【０１６９】
したがって、本発明の第２態様の目的は、上記欠点の少なくとも一つを少なくとも部分的に克服する、最初に述べた形式の噴霧成形器を作ることである。
【０１７０】
この目的は、本発明の第２態様による噴霧成形器によって達成される。
【０１７１】
周囲の条件下で噴霧円錐を液体から成形する為の本発明の第２態様による噴霧成形器は、噴霧成形本体と、噴霧成形本体上にあり噴霧成形本体に固定された噴霧成形出口と、噴霧成形器の旋回軸に対して垂直な面に対して３０度以下の傾斜角度で、噴霧成形器の一つの旋回軸周りに液体の回転運動を誘発する液体の為の少なくとも一つの誘導要素と、を備え、液体の回転運動は、噴霧成形器の出口を通って噴霧成形器を出る噴霧円錐を発生させ、噴霧円錐の円錐軸は、噴霧成形器の旋回軸に対して平行である。
【０１７２】
噴霧成形器の旋回軸に対して垂直な面に対する、液体の回転運動の傾斜角度とは、噴霧成形器の出口への方向において誘導要素を離れる、回転運動における液体ストリーム（即ち、液体粒子経路）の角度を意味する。
【０１７３】
噴霧成形器の旋回軸に対して垂直な面に対する液体の回転運動の傾斜角度は、２０度以下でもよい。特に、噴霧成形器の旋回軸に対して垂直な面に対する液体の回転運動の傾斜角度は、１０度である。
【０１７４】
噴射成形器の一部として、噴霧成形器は、噴射成形器の説明で更に説明されている。より正確には、噴射成形器における噴霧成形器は、噴霧形成器の一部である。前述された噴射成形器の噴霧形成器は、噴霧成形器および飛行チャンバを備える。言い換えると、飛行チャンバを持たない前述した噴霧形成器は、噴霧成形器を備えたデバイス、または、噴霧成形器であるとさえみなすことができる。したがって、噴霧成形器の一部の要素は、噴霧成形器の部品として指定され、噴霧成形器では、噴霧形成器の部品として指定されるが、これらは、同一要素である。たとえば、噴霧成形器の噴霧成形器出口は、噴霧形成器では噴霧形成器出口と呼ばれる。
【０１７５】
本発明の第２態様に従う周囲条件下で液体の噴霧を液体から成形する為の方法は、
【０１７６】
ａ）噴霧成形器の旋回軸に対して３０以下の傾斜角度で噴霧成形器の一つの旋回軸周りに液体の回転運動を含めること、
【０１７７】
ｂ）液体の回転運動が噴霧円錐を発生させ、噴霧円錐の円錐軸が噴霧成形器の旋回軸に対して平行であること、
【０１７８】
を含む。
【０１７９】
本発明の第１態様（噴射成形器）について前述した全ての定義は、本発明の第２態様（噴霧成形器）にも同様に適用される。
【０１８０】
上記の（本発明の第１態様における）噴射成形器の要素の全ての特徴および利点は、噴霧成形器（本発明の第２態様）の類似要素および方法のステップに適用される。
【０１８１】
既に記載したように、デバイスのクレームの機能は、方法クレームの機能と組み合わせることができ、逆もまた可能である。対応する利点は、デバイスにも方法にも適用される。
【図面の簡単な説明】
【０１８２】
以下、添付された図面に図示された例示的実施形態を参照して、以下の本文でより詳細に本発明の対象を説明する。
【図１】図１は、側面図で噴射成形器を通って切断した原理略図を示す。
【図２】図２は、側面図で噴射成形器の第１実施形態の構成要素を概略的に示す。
【図３】図３は、組み立てられた状態で、図２の噴射成形器を概略的に示す。
【図４】図４は、側面図で噴射成形器の第２実施形態の構成要素を概略的に示す。
【図５】図５は、組み立てられた状態で、図４の噴射成形器を概略的に示す。
【図６】図６は、側面図で噴射成形器の第３実施形態の構成要素を概略的に示す。
【図７】図７は、組み立てられた状態で、図６の噴射成形器を概略的に示す。
【図８】図８は、底面図で、図７の噴射成形器の誘導要素ユニットを概略的に示す。
【図９】図９は、上面図で、図８の誘導要素ユニットを概略的に示す。
【図１０】図１０は、底面図で、図８の誘導要素ユニット、上面図からの要素を破線で概略的に示す。
【図１１】図１１は、側面図で、図８の誘導要素ユニットの切断を概略的に示す。
【図１２】図１２は、６つの副次的噴射の為の噴射分配器を概略的に示す。
【図１３】図１３は、５つの副次的噴射の為の噴射分配器を概略的に示す。
【図１４】図１４は、３つの副次的噴射の為の噴射分配器を概略的に示す。
【図１５】図１５は、底面図で、誘導要素ユニットの第２変形例を概略的に示す。
【図１６】図１６は、上面図で、誘導要素ユニットの第２変形例を概略的に示す。
【図１７】図１７は、斜視図で、誘導要素ユニットの第２変形例を概略的に示す。
【図１８】図１８は、側面図で、誘導要素ユニットの第２変形例を通る切断を概略的に示す。
【図１９】図１９は、底面図で、誘導要素ユニットの第３変形例を概略的に示す。
【図２０】図２０は、上面図で、誘導要素ユニットの第３変形例を概略的に示す。
【図２１】図２１は、斜視図で、誘導要素ユニットの第３変形例を概略的に示す。
【図２２】図２２は、側面図で、誘導要素ユニットの第３変形例を通る切断を概略的に示す。
【図２３】図２３は、斜視図で、本発明の第２態様による噴霧成形器を概略的に示す。
【図２４】図２４は、分解斜視図で、図２３の噴霧成形器を概略的に示す。
【図２５】図２５は、底面図で、図２３の噴霧成形器を概略的に示す。
【図２６】図２６は、側面図で、図２３の噴霧成形器を通る切断を概略的に示す。
【図２７】図２７は、上面図で、図２３の噴霧成形器を概略的に示す。
【０１８３】
【発明の詳細な説明】
【０１８４】
原則として、図面において、同一要素には同一参照符合を付ける。
【０１８５】
図１は、噴射成形器１の実施形態の一実施例を切断する原理図を側面図で示す。重力の方向ｇは、図１の最上部（即ち、図１の作図面の上縁部）から、図１の底部（即ち、図１の作図面の下縁部）まで続く。噴射成形器１は、噴霧形成器２と噴霧分配器３とを備え、噴霧形成器２は、噴射成形器１の最上部に配置され、噴霧分配器３は、噴射成形器１の底部に配置される。液体６は、重力の方向ｇに対して平行である液体入射方向２２において、噴射成形器１に流入する。
【０１８６】
液体６は、噴霧形成器２と、噴霧形成器２内に配置された誘導要素１４ａに入る。誘導要素１４ａは、旋回軸２１を中心とした液体６の回転運動を発生させる。液体６の回転運動のため、液体６は、噴霧形成器出口１１で噴霧の液滴に分散される。噴霧の液滴は、開口角と円錐軸２０で噴霧円錐５に広がる。この実施形態では、円錐軸２０は旋回軸２１と一致する。噴霧円錐５は、噴霧円錐５を含む飛行チャンバと接触しない。空気入口１５は、空気を飛行チャンバに与える。噴霧円錐５内の液滴は、噴霧形成器出口から飛行チャンバ１０を通って噴霧分配器３に向かう直線飛行経路を辿る。
【０１８７】
噴霧分配器３において、狭くなる円錐形の噴霧分配器ダクト１２が偏向し、噴霧円錐５からの液滴を副次的噴射４に集める。副次的噴射４は、副次的噴射流出方向２３で副次的噴射ダクト流出口１３を通って噴霧分配器３を離れる。副次的噴射の流出方向２３は、液体入射方向２２に対して平行である。
【０１８８】
図２は、噴射成形器１の第１実施形態の一部の構成要素を側面図で概略的に示す。図３は、全ての構成要素が組み立てられた状態で、図２のような噴射成形器１の同一実施形態を概略的に示す。この、噴射成形器１の第１実施形態は、噴霧形成器２の最上部領域に配置された流量制限器１７を備える。流量制限器１７は、一方では、流量を制限し、噴霧形成器２に入る液体の流量を一定に保つ。他方では、流量制限器１７は、噴射成形器１の液体６の圧力を１バール以下で一定に保つ（即ち、液体６は、噴霧形成器２に入る前に１バール以下の圧力を有する）。この第１実施形態では、旋回軸２１は、円錐軸２０に関してオフセットされる。そのため、液体６の回転運動は、円錐軸２０に関して偏心している。
【０１８９】
図４は、類似した方法で、噴射成形器１の第２実施形態の一部の構成要素を側面図で概略的に示す。図５は、全ての構成要素が組み立てられた状態で、図４のような噴射成形器１の同一実施形態を示す。図４および図５の第２実施形態は、図２および図３の第１実施形態の噴霧分配器３の形状とは異なる形状を持つ噴霧分配器３を特徴とする。しかし、第１実施形態および第２実施形態の両方は、円錐軸２０からオフセットされて配置された旋回軸２１を特徴とし、両方の実施形態は、噴霧形成器２の最上部領域の流量制限器１７を特徴とする。しかし、図４および図５の噴射成形器１の第２実施形態は、液滴サイズの制限器１６を更に備える。液滴サイズ制限器１６は、噴霧形成器２の底端部に配置され、ちょうど噴霧分配器３の最上部、噴霧円錐５の底端部に配置される。液滴サイズ制限器１６は、十分に小さい液滴を通過させ、液滴の飛行方向を本質的に保ちつつ、大きすぎる液滴のサイズを減少させる。
【０１９０】
図６は、噴射成形器１の第３実施形態の一部の構成要素を側面図で概略的に示す。図７は、組み立てられた状態で、図６の噴射成形器１の同一の第３実施形態を概略的に示す。第３実施形態では、円錐軸２０は旋回軸２１と一致する。第３実施形態は、流量制限器１７と、メッシュ形態の液滴サイズ制限器１６とを備える。さらに、噴射成形器１の第３実施形態は、誘導要素１４ｂを備え、誘導要素１４ｂは、噴霧形成器２から取り外すことができ、液体通路を特徴とする。液体通路は、旋回軸２１を中心として螺旋状に配置された小さなチューブ形状を特徴とする。噴射成形器１を通る全ての液体６は、これらの液体通路を通り、液体通路によって誘発される回転運動をもって液体通路を出る。
【０１９１】
図８は、図７の噴射成形器の誘導要素ユニット１４ｂを底面図で概略的に示す。この誘導要素ユニット１４ｂは、液体通路１８を特徴とする。図９および図１１は、図８の同一誘導要素ユニット１４ｂを、それぞれ、上面図および側面図の切断で示す。図１０は、他方で、液体通路１８の開口の相対的な位置で、より良好な図示の為に破線として上面図からの要素と共に、図８の同一の誘導要素ユニット１４ｂを底面図で概略的に示す。４つの液体通路１８は、環状セクタ（二次元リングのセクタ）形式または換言すると、（ブルズアイ以外のダーツボード上の領域のような）２つの湾曲側面を持つ台形の形式の横断面を特徴とする。
【０１９２】
４つの液体通路１８の横断面は、流体の流量方向に沿って小さくなるにつれて、その形状を保つ。さらに、液体通路１８は、旋回軸２１に沿った構成要素および旋回軸周りの構成要素と共に広がり、旋回軸２１周りに螺旋開口が生じる。
【０１９３】
言い換えると、誘導要素１４ｂは、４つの個々の誘導要素を特徴とし、これらは、４つの液体通路１８を形成するように成形されている。これは、誘導要素ユニット１４ｂにおける誘導要素の数ｍが４に等しいことを意味する。
【０１９４】
図１２は、６つの副次的噴射４の為の噴霧分配器３を概略的に示し、図１３は、５つの副次的噴射４の為の噴霧分配器３を概略的に示し、図１４は、３つの副次的噴射４の為の噴霧分配器３を概略的に示す。図１２，図１３，図１４の各々は、図の最上部に噴霧分配器３の図を上面図、上面図の下に側面図、図の下端に底面図を示す。副次的噴射４は、副次的噴射ダクト流出口１３を流出している。分かり易いように、噴霧分配器３毎に１つの噴霧分配器流出口１３のみが参照符合によって参照されている。図１２，図１３，図１４における全ての分配器ダクト流出口１３は、円形線に沿って、等間隔分布で円形線に配置されている。
【０１９５】
図１５〜図１８は、誘導要素ユニットの第２変形例１４ｃを示す。図１９〜図２２には、誘導要素ユニットの第３変形例が示されている。
【０１９６】
図１５は、誘導要素ユニットの第２変形例を底面図で、図１６は、上面図で概略的に示す。図１７は、第２誘導要素ユニットの変形例１４ｃを斜視図で、図１８は、第２誘導要素ユニットの変形例１４ｃを通る断面を側面図で、概略的に示す。図１８に見られるように、誘導要素ユニット１４ｃの高さは、その幅と比べて小さい。最も高い誘導要素の第１の点（即ち、液体通路１８の開始部）から下がって誘導要素ユニット１４ｃの端部までの噴霧形成部の高さは２ｍｍである。組み立てられた噴射成形器１において、最も高い第１の点（即ち、液体通路１８の開始部）から下がって噴霧形成部出口の端部までの噴霧形成部の高さは、３．８ｍｍになる。
【０１９７】
図１９は、誘導要素ユニットの第３変形例１４ｄを底面図で、図２０は、上面図で概略的に示す。図２１は、誘導要素ユニットの第３変形例１４ｄを斜視図で概略的に示し、図２２は、誘導要素ユニットの第３変形例１４ｄを通る切断を側面図で概略的に示す。いったん噴射成形器１に組み立てられると、誘導要素の第２変形例１４ｃおよび第３変形例１４ｄの両方とも同じ高さであり、両方とも誘導要素の最も高い第１の地点（即ち、液体通路１８の開始部）から下がった噴霧形成部出口の端部の高さが３．８ｍｍであることを特徴として配置されている。
【０１９８】
誘導要素ユニットの第２変形例１４ｃおよび第３変形例１４ｄの両方は、４つの個々の誘導要素を特徴とし、これらは、４つの液体通路１８を形成するように成形されている。これは、誘導要素ユニットの第２変形例１４ｃおよび第３変形例１４ｄの誘導要素の数ｍが４に等しいことを意味する。
【０１９９】
図２３は、本発明の第２態様による噴霧成形器３０を斜視図で概略的に示し、図２４は、同一の噴霧成形器３０を分解斜視図で示す。噴霧成形器３０は、噴霧成形器本体を備え、噴霧成形器本体は、２つの分離した部品、すなわち、誘導要素ユニット３１と、出口ユニット３２とを備える。図２４には、噴霧成形器３５の旋回軸周りの噴霧成形器３０（したがって、その構成要素である誘導要素ユニット３１および出口ユニット３２）の同心の対称形状が示されている。図２３〜図２７に示された噴霧成形器の変形例において、噴霧成形器３０の旋回軸３５は、噴霧円錐３６の円錐軸に対して平行であるだけでなく、均一性（even）は一致している。
【０２００】
図２５は、図２３の噴霧成形器を底面図で、図２６は側面図で、図２７は上面図で概略的に示す。誘導要素ユニット３１は、旋回軸３５を中心として対称配置で５つの誘導要素３３を備える。出口ユニット３２は、旋回軸３５に対して同心で配置された円形噴霧成形器出口３４を特徴とする。噴霧成形器３０の旋回軸３５に対して直交する面に対する液体の回転運動の傾斜角度は、２０°である。噴霧成形器３０の高さは、３．８ｍｍであり、誘導要素３３の最も高い部分から噴霧成形器出口３４の最も遠い部分までの高さに等しい。言い換えると、噴霧成形器３０の旋回軸３５における正射影において、最も小さい（the least）１つの誘導要素３３の最も遠い点は、噴霧成形器出口３４の最も遠い点から３．８ｍｍ離れている。
【０２０１】
本発明を本実施形態で説明してきたが、本発明は、それらに限定されず、特許請求の範囲内で、様々に具体化され、実施することができることは明確に理解されている。
【図１】
2020531244.tif 000003
【図２】
2020531244.tif 000004
【図３】
2020531244.tif 000005
【図４】
2020531244.tif 000006
【図５】
2020531244.tif 000007
【図６】
2020531244.tif 000008
【図７】
2020531244.tif 000009
【図８】
2020531244.tif 000010
【図９】
2020531244.tif 000011
【図１０】
2020531244.tif 000012
【図１１】
2020531244.tif 000013
【図１２】
2020531244.tif 000014
【図１３】
2020531244.tif 000015
【図１４】
2020531244.tif 000016
【図１５】
2020531244.tif 000017
【図１６】
2020531244.tif 000018
【図１７】
2020531244.tif 000019
【図１８】
2020531244.tif 000020
【図１９】
2020531244.tif 000021
【図２０】
2020531244.tif 000022
【図２１】
2020531244.tif 000023
【図２２】
2020531244.tif 000024
【図２３】
2020531244.tif 000025
【図２４】
2020531244.tif 000026
【図２５】
2020531244.tif 000027
【図２６】
2020531244.tif 000028
【図２７】
2020531244.tif 000029
【国際調査報告】
2020531244.tif 000030
2020531244.tif 000031